(57)【要約】【課題】本発明は、定形外の原稿であっても、ユーザに用紙のサイズおよび倍率の設定を要求することなく、迅速に印刷可能な画像形成装置を提供する。【解決手段】原稿のサイズを取得する原稿サイズ取得部１１１と、原稿のサイズに対する用紙サイズの比率を取得する比率取得部７２ａと、印刷部９と、スキャナ８１の読み取った画像を変倍する変倍部８２とを備え、印刷部９は、比率取得部７２ａが取得した比率が１に最も近い用紙上に、変倍部８２によって１に最も近い上記比率を変倍倍率として変倍された画像を形成する。【選択図】図６
2008022203.tif 000002
【特許請求の範囲】
【請求項１】
原稿のサイズを取得する原稿サイズ取得部と、
サイズの異なる２種以上の記録媒体を収容する収容部と、
上記原稿のサイズに対する各記録媒体のサイズの比率を取得する比率取得部と、
上記記録媒体のうち、上記比率取得部の取得した比率が１に最も近い記録媒体を選出する選出部と、
上記原稿上の画像を、１に最も近い上記比率を変倍倍率として変倍可能な変倍部と、
上記変倍部が変倍した画像を、上記選出部が選出した記録媒体上に形成可能な画像形成部と、
を備える画像形成装置。
【請求項２】
１に最も近い比率を与える上記記録媒体が複数存在するとき、上記選出部は、このうち、上記記録媒体収容部から上記画像形成部に到達するまで要する時間が最も短い記録媒体を選出可能である請求項１に記載の画像形成装置。
【請求項３】
上記比率取得部は、各記録媒体について、その幅に対する上記原稿の幅の比率ｒＸと、その長さに対する上記原稿の長さの比率ｒＹとを取得し、
上記選出部および変倍部は、ｒｘまたはｒＹのうち小さい方を上記比率取得部の取得した比率として、記録媒体の選出および画像の変倍をそれぞれ行う請求項１または２に記載の画像形成装置。
【請求項４】
原稿上の画像を変倍する変倍部と、変倍後の画像を記録媒体上に形成可能な画像形成部と、サイズの異なる２種以上の記録媒体から上記画像形成部で用いる記録媒体を選出する選出部と、演算を実行可能な演算部と、を備える画像形成装置の制御プログラムであって、
上記演算部によって、上記原稿のサイズに対する上記各記録媒体のサイズの比率を算出する比率取得ステップと、
上記選出部によって、上記比率取得ステップによって取得した比率が１に最も近い記録媒体を選出する選出ステップと、
上記変倍部によって、１に最も近い上記比率を変倍倍率として上記画像を変倍する変倍ステップと、
を含む制御プログラム。
【発明の詳細な説明】
【技術分野】
【０００１】
本発明は、画像形成装置およびその制御プログラムに関するものであり、特に、定型サイズ以外のサイズの原稿を印刷するのに好適な画像形成装置およびその制御プログラムに関する。
【背景技術】
【０００２】
一般的に画像形成装置では、画像を形成するための用紙として定型サイズ（Ｂ５、Ｂ４、Ａ５、Ａ４等）の用紙が用いられる。コピー時に画像の欠落、過剰の余白がなく、良好な画像を得るためには、用紙および原稿画像の変倍倍率が適切であることが求められる。
【０００３】
特許文献１には、原稿のサイズが複数種類に渡る場合に、ユーザの作業の手間を省くため、次のような技術が記載されている。すなわち、特許文献１の複写機では、原稿の横の長さおよび縦の長さ（ｘ，ｙ）を検出し、この検出結果と、定型サイズの横の長さおよび縦の長さ（ｘｉ、ｙｉ）（ｉ＝１，２，３・・・）を登録したテーブルの内容とから、｜ｘ−ｘｉ｜＋｜ｙ−ｙｉ｜を算定する。そして、この算定結果が最小となるような定型サイズを原稿の標準サイズとする。一方で定型サイズ間の拡大／縮小倍率を予め倍率テーブルとして記憶しておき、上記原稿の標準サイズと予め指定された用紙のサイズとを、この倍率テーブルの登録内容に当てはめることで、拡大／縮小倍率を決定する。特許文献１には、例えば、複写用紙としてＡ４が指定されている場合、上述した算定結果によって原稿の標準サイズがＢ５であるとみなされると、原稿は１２０％の倍率でＡ４用紙上にコピーすると記載されている。
【０００４】
特許文献２の複写機では、定型サイズの用紙のうち、用いる用紙がユーザによって予め指定されている。そして、当該複写機は、この指定された用紙の中から原稿のサイズ（この原稿は定型サイズである）に近い用紙を選択し、選択した用紙と原稿サイズとが適合する倍率を、予め記憶しておいたテーブルから選択する。具体的には、指定された用紙がＡ３およびＡ５であって、コピーする原稿がＢ５である場合、選択される用紙はＡ５であり倍率は８２％であると記載されている。
【０００５】
また、特許文献３の画像形成装置は、予めユーザにより指定された変倍率にて画像を変倍して印刷するとき、変倍後の画像と等しいサイズの用紙がなければ、変倍後の画像に最も近いサイズの用紙を選択するようになっている。
【特許文献１】特開平１−３７１６７号公報（１９８９年２月７日公開）
【特許文献２】特開平１−６８７７２号公報（１９８９年３月１４日公開）
【特許文献３】特開２００１−３０９１１５号公報（２００１年１１月２日公開）
【発明の開示】
【発明が解決しようとする課題】
【０００６】
従来の技術では、ユーザが変倍倍率または用紙サイズの少なくとも一方のパラメータを指定する必要がある。そして、従来の画像形成装置は、この指定された方のパラメータに合わせるように他方のパラメータを調節する。しかし、原稿の大きさを正確に把握し、これを用紙の大きさと比較してコピーの仕上がりを自ら想定することは、ユーザにとって困難である。そのため、従来の技術では、画像形成のためにユーザに要求する手間が十分に軽減されているとはいえず、改良の余地がある。
【０００７】
例えば、特許文献１の複写機は、まずユーザによって用紙サイズが指定される必要があり、異なるサイズの原稿を全てこの指定された用紙サイズに合うように変倍する。確かにこのような複写機は、複数種類のサイズを含む原稿束をコピーしたときに、複写物をユーザの指定したサイズに一様に揃えることができる。しかし、そもそもユーザによる用紙の指定を必要とするうえ、個々の原稿に合ったサイズの複写物を得たいというユーザの要求を満たすことはできない。
【０００８】
一方、特許文献２の技術は、原稿サイズが定型サイズである場合を想定している。そのため、定形外のサイズの原稿のコピーには適用することができず、また、仮にこの複写機にて定形外の原稿をコピーすると、画像の欠落、過剰の余白を生じる虞がある。
【０００９】
また、特許文献３の技術ではユーザが変倍倍率を指定しなければならない。しかし、例えばできるだけ原稿に近いサイズの複写物を得たい場合、ユーザが自ら変倍倍率を指定するのは困難であり、ユーザへの負担が大きくなる。また、この画像形成装置はユーザが倍率を決定するまで画像形成を行うことができず、迅速に複写物を得ることは困難である。
【００１０】
本発明は、上記従来の問題に鑑みたものであり、その目的は、従来の技術よりも、操作にかかるユーザの負担を低減することのできる画像形成装置、および画像形成装置の制御プログラムを提供することにある。
【課題を解決するための手段】
【００１１】
請求項１の画像形成装置は、原稿のサイズを取得する原稿サイズ取得部と、サイズの異なる２種以上の記録媒体を収容する収容部と、上記原稿のサイズに対する上記記録媒体の各サイズの比率を取得する比率取得部と、上記記録媒体のうち、上記比率取得部の取得した比率が１に最も近い記録媒体を選出する選出部と、上記原稿上の画像を、１に最も近い上記比率を変倍倍率として変倍可能な変倍部と、上記変倍部が変倍した画像を、上記選出部が選出した記録媒体上に形成可能な画像形成部と、を備える。
【００１２】
上記構成によると、請求項１の画像形成装置は、ユーザによる記録媒体のサイズまたは変倍倍率といったパラメータの設定を必要とせず、原稿に近い大きさの用紙を選択することができると共に、この用紙のサイズに原稿上の画像を合わせて画像を形成することができる。
【００１３】
請求項２の画像形成装置は、請求項１に記載の画像形成装置であって、１に最も近い比率を与える上記記録媒体が複数存在するとき、上記選出部は、このうち、上記記録媒体収容部から上記画像形成部に到達するのに要する時間が最も短い記録媒体を選出可能である。
【００１４】
請求項１に記載の画像形成装置では、選出部が選出する用紙が複数種類になる場合があり得る。そこで、請求項２の画像形成装置は、選出部によってこのような複数種類の記録媒体のうちで、記録媒体収容部から画像形成部に至るのにかかる時間が最も短い記録媒体を選出することができる。こうすることで、用紙搬送から画像形成完了までに要する時間をより短縮することができ、ユーザにより迅速に複写物を提供することができる。
【００１５】
請求項３の画像形成装置は、請求項１または２に記載の画像形成装置であって、上記比率取得部は、各記録媒体について、その幅に対する上記原稿の幅の比率ｒＸと、その長さに対する上記原稿の長さの比率ｒＹとを取得し、上記選出部および変倍部は、ｒｘまたはｒＹのうち小さい方を、上記比率取得部の取得した比率として、記録媒体の選出および画像の変倍をそれぞれ行う。
【００１６】
上記構成により、記録媒体内に画像が収まるように、画像を形成することができる。
【００１７】
請求項４の制御プログラムは、原稿上の画像を変倍する変倍部と、変倍後の画像を記録媒体上に形成可能な画像形成部と、サイズの異なる２種以上の記録媒体から上記画像形成部で用いる記録媒体を選出する選出部と、演算を実行可能な演算部と、を備える画像形成装置の制御プログラムであって、上記演算部によって、上記原稿のサイズに対する上記各記録媒体のサイズの比率を算出す比率取得ステップと、上記選出部によって、上記比率取得ステップによって取得した比率が１に最も近い記録媒体を選出する選出ステップと、上記変倍部によって、１に最も近い上記比率を変倍倍率として上記画像を変倍する変倍ステップと、を含む。
【発明の効果】
【００１８】
本発明の画像形成装置は、原稿のサイズを取得する原稿サイズ取得部と、サイズの異なる２種以上の記録媒体を収容する収容部と、上記原稿のサイズに対する各記録媒体のサイズの比率を取得する比率取得部と、上記記録媒体のうち、上記比率取得部の取得した比率が１に最も近い記録媒体を選出する選出部と、上記原稿上の画像を、１に最も近い上記比率を変倍倍率として変倍可能な変倍部と、上記変倍部が変倍した画像を、上記選出部が選出した記録媒体上に形成可能な画像形成部と、を備える。
【００１９】
上記画像形成装置は、ユーザによる記録媒体のサイズまたは変倍倍率といったパラメータの設定を必要とせず、原稿に近い大きさの用紙を選択することができると共に、この用紙のサイズに原稿上の画像を合わせて画像を形成することができる。
【００２０】
また、本発明の目的は、原稿上の画像を変倍する変倍部と、変倍後の画像を記録媒体上に形成可能な画像形成部と、サイズの異なる２種以上の記録媒体から上記画像形成部で用いる記録媒体を選出する選出部と、演算を実行可能な演算部と、を備える画像形成装置の制御プログラムであって、上記演算部によって、上記原稿のサイズに対する上記各記録媒体のサイズの比率を算出する比率取得ステップと、上記選出部によって、上記比率取得ステップによって取得した比率が１に最も近い記録媒体を選出する選出ステップと、上記変倍部によって、１に最も近い上記比率を変倍倍率として上記画像を変倍する変倍ステップと、を含む制御プログラムによって実現することも可能である。
【発明を実施するための最良の形態】
【００２１】
以下、本発明について、図面を参照して具体的に説明する。
【００２２】
＜複合機の構成＞
まず、図１・２を参照して、本発明の実施の一形態である複合機（画像形成装置）の構成の概略について説明する。図１は、本実施形態の複合機を示す斜視図であり、図２はこの複合機の要部構成を示すブロック図であり、図３はこの複合機の操作パネルを示す平面図である。
【００２３】
複合機１は、コピー、ＦＡＸ、プリンタ等の機能を有し、図１に示すように、スキャンするための原稿を載置する載置台２、画像処理を行う画像処理部３、印刷用紙を収容する用紙収容部４、印刷後の用紙が排出される排紙部５、ユーザからの入力を受け付けると共にユーザに種々の情報を提示する操作パネル６を備える。また、複合機１には、画像処理装置３として、制御装置７、読み取り部８、印刷部９、通信部１０、センサ群１１、外部記憶装置１２がさらに設けられている（図２）。
【００２４】
操作パネル６は、図３に示すように液晶パネル６１を備え、各種画面を表示する。液晶パネル６１は、図８・９等に示す画面を表示することができ、画面上に表示したソフトキーを介して、ユーザの指示を受け付けることができる。ハードキー群６２は、スタートキー、テンキー等を備え、ユーザからの指示を受け付けることができる。
【００２５】
制御装置７は、複合機１の各部材、すなわち、操作パネル６、読み取り部８、印刷部９、通信部１０、センサ群１１、外部記憶装置１２等に接続されている。制御装置７は、ＣＰＵ、ＲＡＭ、およびＲＯＭ等で構成される。ＣＰＵは、各部の制御やデータの計算・加工を行なう装置である。また、ＲＡＭはＣＰＵの作業領域として機能する他、上記入力装置から送られるデータを一時保持する領域を有している。ＲＯＭにはプログラム等が格納されている。制御部７は、さらに内部Ｉ／Ｆ（図示せず）を備えている。ＣＰＵは、この内部Ｉ／Ｆを介して、外部ＰＣ１０１、他の複合機１０２、操作パネル６、読み取り部８等の入力装置からのデータを受け取ったり、各種データや制御信号を各部材に出力したりすることができる。
【００２６】
読み取り部８１は、載置台２上の原稿を読み取る装置である。詳細については後述する。
【００２７】
印刷部９については図４を参照する。図４は、印刷部９の要部構成を示す正面図である。印刷部９は、画像形成部９１、用紙搬送部９２、および印刷制御部９３を備える。
【００２８】
画像形成部９１としては、従来公知である電子写真方式の印刷装置を用いることができる。特に本実施形態では、画像形成部９１は、用紙収容部４の上側に配されている。画像形成部９１は感光体ドラム９１ａを備え、その回転方向に沿って、感光体ドラム９１ａを一様に帯電する帯電部９１ｂ、光によって感光体ドラム９１ａ上に静電潜像を描くレーザユニット９１ｃ、静電潜像を現像剤によって現像する現像部９１ｄ、現像部９１ｄによって現像された画像を用紙に転写する転写部９１ｅをさらに備える。また、用紙搬送部９２の搬送方向における感光体ドラム９１ａの下流には、定着装置９１ｆが設けられ、熱と圧力によって用紙に画像を定着させる。なお、「上」とは、複合機１の通常の設置姿勢における上方向を意味する。
【００２９】
用紙搬送部９２は、用紙収容部４から用紙Ｐ１、Ｐ２、・・Ｐｎ（ｎは自然数）のいずれかを、矢印で示す方向に沿って画像形成部９１に搬送し、画像が印刷された用紙を排紙部５に排出する。用紙収容部４内では、各用紙は、上段から下段に向かって、用紙Ｐ１、Ｐ２、・・Ｐｎの順に収容されている。従って、画像形成部９１からの距離、すなわち用紙搬送部９２が用紙を用紙収容部４から取り出し、画像形成部９１を経て排紙部５まで搬送するのに要する時間は、用紙Ｐ１が最も短く、Ｐｎが最も長くなる。
【００３０】
印刷制御部９３は、制御装置７からの信号に基づいて印刷部９内の部材を制御する。すなわち、制御装置７は、印刷制御部９３を介して画像形成部９１および用紙搬送部９２を制御することで、読み取り部８の読み取った画像、またはＰＣ等の外部機器から受け取った画像を、用紙上に印刷することができる。
【００３１】
通信部１０は、図３に示すように、外部ＰＣ１０１および他の複合機１０２とネットワーク１００を介して通信可能に接続しており、データの送受信を行うことができる。
【００３２】
センサ群１１には、後述の原稿サイズ取得部１１１、用紙残量検出部１１２等が含まれる（図６）。
【００３３】
外部記憶装置１２は、各種データを記憶する。外部記憶装置１２内のデータは、必要に応じて制御装置７の動作に利用される。外部記憶装置１２内のデータとしては、例えば、図５に示す用紙サイズテーブル１３がある。
【００３４】
用紙サイズテーブル１３は、用紙収容部４内の用紙Ｐｉ（ｉはｎ以下の自然数であり、ｎは２以上の自然数）のサイズ（Ｘｉ、Ｙｉ）を含む。なお、Ｘｉは用紙Ｐｉの幅を、Ｙｉは長さを表す。本実施形態では、特にｎを１２としている。
【００３５】
図６は、複合機１におけるコピー実行時のデータの流れを示すブロック図である。図６に示すように、複合機１は、制御装置７として、内部記憶部７１、演算部７２、および主制御部７３を備え、読み取り部８として、スキャナ８１および変倍部８２を備え、センサ群１１として、原稿サイズ取得部１１１および用紙残量検出部１１２を備える。
【００３６】
内部記憶部７１は、コピー実行時における用紙、倍率、濃度等の条件を記憶する印刷条件記憶部７１ａ、読み取り部８からの画像情報を一時記憶する画像記憶部７１ｂを備える。
【００３７】
各種演算を実行する演算部７２は、比率取得部７２ａを備える。比率取得部７２ａは、原稿サイズ取得部１１１が取得した原稿サイズ、およびサイズテーブル１３に基づいて、原稿サイズに対する各用紙のサイズの比を算出する。
【００３８】
主制御部７３は、操作パネル６が受け付けたユーザの指示内容に基づいて各部を制御することで、後述する各モードを実行可能である。
【００３９】
スキャナ８１は、光源、レンズ、ミラー、ＣＣＤ等を備え、原稿を撮像する。変倍部８２は、スキャナ８１が撮像した画像を、制御装置７からの信号に基づいて変倍する。読み取り部８は、図示しないＡ／Ｄ変換装置等をさらに備えてもよい。
【００４０】
原稿サイズ取得部１１１には、載置台２上の原稿のサイズを光学的に検出する光センサを用いることができる。原稿サイズ取得部１１１は、スキャナ８１の光学系（光源、ミラー等）を利用して原稿サイズを取得するものであってもよい。用紙残量検出部１１２は、用紙収容部４内の用紙残量を検出することができる。
【００４１】
＜印刷モード設定＞
図６と図７〜９とを併せて参照し、印刷モード設定について説明する。図７は印刷モード設定時の処理動作のフローチャート、図８・９は印刷モード設定時の表示画面を示す。
【００４２】
載置台２に原稿が載置された等の変化を感知するセンサ等（図示せず）からの信号を受けると、主制御部７３は、液晶パネルに基本画面６３（図７）を表示させる（Ｓ１）。基本画面は、印刷条件記憶部７１に現在記憶されている印刷条件を表示する。電源を入れたとき、またはリセットキー（図２）が押下されたときには、印刷条件は初期設定の条件となる。
【００４３】
基本画面６３には、用紙、倍率、および濃度等の各条件、およびこれらの条件を変更するためのキーをそれぞれ含む、用紙設定画面６４、倍率設定画面６５、および濃度設定画面６６等が表示される。用紙設定画面６４には、用紙収納部４に収納されている用紙の種類（大きさおよび向き）に対応した用紙サイズ入力キー６４ａ、および自動用紙設定キー６４ｂが表示される。倍率設定画面６５には、倍率入力キー６５ａおよび自動倍率設定キーが表示される。濃度設定画面６６には、濃度入力キーおよび濃度自動設定キーが表示される。ここでは説明の便宜上、用紙サイズおよび変倍倍率の設定について説明し、印刷濃度の設定については説明を省略する。なお、印刷濃度の設定および調整方法については、従来公知の技術を利用すればよい。
【００４４】
図８に示す通り、自動用紙キー６４ｂおよび自動倍率設定キー６５ｂが押下された状態で、スタートキーが押下されると（Ｓ２でＹｅｓ）、印刷条件記憶部７１は印刷条件を「用紙自動設定、倍率自動設定」と記憶し（Ｓ６）、用紙・倍率自動設定モード（Ｉ）が実行される。
【００４５】
また、自動用紙設定キー６４ｂが押下され、変倍倍率が倍率入力キー６５ａを介してユーザにより手設定された上でスタートキーが押下されると（Ｓ３でＹｅｓ）、印刷条件記憶部７１は「用紙自動設定、倍率ＲＳ」と記憶し（Ｓ６）、入力された変倍倍率に併せて用紙を自動に選択する用紙自動設定モード（ＩＩ）による印刷が実行される。また、倍率入力キー中の“拡大／縮小”キーが押下されると、主制御部７３は、変倍倍率をさらに詳細に設定するための第二設定画面６７（図９）を液晶パネル６１に表示させる。ユーザは第二設定画面６７上のキーを介して、変倍倍率を詳細に入力することができる。
【００４６】
用紙のみがユーザによって指定され、変倍倍率については自動倍率設定キー６５ｂが押下されて自動設定が選択された上でスタートキーが押下されると（Ｓ４でＹｅｓ）、倍率自動設定モード（ＩＩＩ）による印刷が実行される。
【００４７】
また、用紙サイズおよび変倍倍率の両方について、自動設定が選択されず、ユーザによる手入力が行われると（Ｓ５でＹｅｓ）、用紙・印刷手設定モードによる印刷が実行される（ＩＶ）。
【００４８】
なお、基本画面表示（Ｓ１）から、印刷条件が変更されることなくスタートキーが押下されると、（Ｉ）〜（ＩＶ）のうち、その時点で印刷条件記憶部７１内に記憶されていた条件、すなわち、前回のコピーで設定された条件または初期設定条件による印刷が実行される。
【００４９】
（Ｉ）用紙・倍率自動設定モード
比率取得ステップ：本ステップでは、まず原稿サイズ取得部１１１によって、原稿サイズ（Ｘ０，Ｙ０）を取得する（図１０、Ｓ１０１）。このとき、Ｘ０を短手方向の大きさ、Ｙ０を長手方向の大きさとしてもよいし、これに限らず、直行する所定の２方向における原稿の大きさをそれぞれＸ０及びＹ０としてもよい。
【００５０】
次に、用紙Ｐｉ（ｉは自然数）と原稿とのサイズ比を算出する（Ｓ１０２〜Ｓ１０６）。詳細には、まずｉに１を代入し（Ｓ１０２）、比率取得部７２ａによって原稿サイズ（Ｘ０，Ｙ０）に対する用紙Ｐｉのサイズ（Ｘｉ，Ｙｉ）の比率ｒＸｉ及びｒＹｉ（ｒＸｉ＝Ｘｉ／Ｘ０、ｒＹｉ＝Ｙｉ／Ｙ０）を算出する（Ｓ１０３）。さらに、ｒＸｉ又はｒＹｉのうち、小さい方を用紙Ｐｉにおける倍率Ｒｉとする（Ｓ１０４）。次いで、一つ下段の用紙Ｐ(ｉ＋１)についても同様の動作によって倍率Ｒ（ｉ＋１）を算出し、これを繰り返すことで用紙Ｐ１〜Ｐｎの原稿に対する倍率を算出する（Ｓ１０５、Ｓ１０６）。
【００５１】
選出ステップ：用紙Ｐ１〜Ｐｎについての倍率の算出が完了すると（Ｓ１０６でＹｅｓ）、倍率Ｒ１〜Ｒｎのうち１に最も近い倍率ＲＺが演算部７２ａの演算によって求められる。主制御部７３はこの倍率ＲＺを変倍倍率に、倍率ＲＺに対応する用紙ＰＺを印刷用紙に決定する（Ｓ１０７）。この決定結果に基づき、印刷制御部９３は用紙搬送部９２を制御して、用紙ＰＺを搬送させる。なお、“１に最も近い倍率”とは、｜１−ＲＺ｜の値が最も小さいことを意味する。
【００５２】
変倍ステップ：また、ステップＳ１０８で撮像された画像は、変倍部８２によって変倍倍率ＲＺで変倍され（Ｓ１０９）、上記選出ステップで選出された用紙ＰＺ上に印刷出力される。
【００５３】
以上のように、本実施形態の複合機１は、ユーザによる用紙または変倍倍率の指定を必要とせず、画像を用紙に合わせて印刷することができる。
【００５４】
また、１に最も近い比率を与える用紙が複数存在する場合には、これら複数の用紙のうち、最も上段に収容された用紙が印刷用に選択されるようになっていてもよい。これにより、用紙搬送部９２が搬送を開始してから複写物が得られるまでの時間が最も短い用紙が選択されるので、印刷にかかる総時間を短縮することができる。
【００５５】
上述の特許文献１の複写機は、原稿サイズをそれに近い定型サイズとみなし、この定型サイズと用紙との比率（特許文献１の複写機ではこの比率は予め記憶されている）によって、画像を拡大／縮小するものである。つまり、変倍倍率を決定する際の基準は、原稿のサイズに基づいて選択された定型サイズであって、原稿自体のサイズではない。これに対して、本実施形態の複合機１は、原稿自体のサイズと用紙のサイズとの比率を算出し、これを変倍倍率とするので、用紙のサイズにより精確に合致した画像を形成することができる。
【００５６】
また、用紙残量検出部１２の検出結果が、図１０のフローにて決定された用紙ＰＺが用紙収容部４内に無いことを示すとき、主制御部７３は、液晶パネル６１にその旨を表示させて印刷を中止してもよい。またこのとき、｜１−Ｒｍ｜＝｜１−ＲＺ｜であって、ＰＺよりも下段に収容されている用紙Ｐｍがある場合は、印刷部９が用紙Ｐｍ上に画像を印刷するようになっていてもよい。または、このとき主制御部７３は、用紙ＰＺに次いで１に近い比率を与える用紙にて印刷を実行させてもよい。
【００５７】
（ＩＩ）用紙自動設定モード
本モードでは、上記ステップＳ３にてユーザより入力された倍率ＲＳに合わせて用紙を選択し、印刷を行う。このモードにおける用紙選択方法としては、従来公知の方法を利用することができる。
【００５８】
まず、上記ステップＳ１０１と同様に、原稿サイズ取得部１１１にて原稿サイズ（Ｘ０，Ｙ０）を取得する（Ｓ２０１）。その後、演算部７２にて、式［Ｘ’＝Ｘ０×ＲＳ］および［Ｙ’＝Ｙ０×ＲＳ］により、変倍後の原稿のサイズ（Ｘ’，Ｙ’）を算出する（Ｓ２０２）。演算部７２は、変倍後の原稿と用紙Ｐ１、Ｐ２、・・・とのサイズの比較を行う（Ｓ２０３）。この比較結果に基づいて、変倍後の原稿が収まる用紙があれば（Ｓ２０４でＹｅｓ）、倍率ＲＳで変倍した画像の形成を実行する（Ｓ２０５〜Ｓ２０７）。変倍後の原稿が収まる用紙がなければ（Ｓ２０４でＮｏ）、表示部６１に“この倍率に適合する用紙がありません”等のエラーメッセージを表示させ（Ｓ２０８）、印刷を中止する。
【００５９】
（ＩＩＩ）倍率自動設定モード
本モードでは、上記ステップＳ４にてユーザにより入力された用紙Ｐｓに合うように変倍倍率を決定して印刷を行う。このモードにおける変倍倍率決定方法としては、従来公知の方法を利用することができる。
【００６０】
まず、上記ステップＳ１０１と同様に原稿サイズ取得部１１１にて原稿サイズ（Ｘ０，Ｙ０）を取得する（Ｓ３０１）。その後、演算部７２にて、式［ｒ’ｘ＝ＸＳ／Ｘ０］および［ｒ’Ｙ＝ＹＳ／Ｙ０］により原稿サイズに対するステップＳ４で入力された用紙のサイズの比率を算出する（Ｓ３０２）。ＸＳおよびＹＳは、ステップＳ４にてユーザによって入力された用紙の幅および長さであり、サイズテーブル１３から読み出すことで取得される。変倍部８２は、こうして得られた比率ｒ’ｘまたはｒ’Ｙのうちの小さい方を変倍倍率として画像を変倍し（Ｓ３０３、Ｓ３０４）、こうして得られた画像をユーザが選択した用紙ＰＳ上に印刷する（Ｓ３０５）。
【００６１】
（ＩＶ）用紙・倍率手設定モード
本モードでは、上記ステップＳ５にてユーザにより入力された用紙Ｐｓ’および倍率Ｒｓ’にて印刷を行う。
【００６２】
まず、上記ステップＳ１０１と同様に原稿サイズ取得部１１１にて原稿サイズ（Ｘ０，Ｙ０）を取得する（Ｓ４０１）。その後、ステップＳ２０２と同様に変倍後の原稿のサイズ（Ｘ”，Ｙ”）を演算部７２にて算出する（Ｓ４０２）。原稿サイズ（Ｘ”，Ｙ”）がそれぞれ、ユーザによって設定された用紙ＰＳ’のサイズ（ＸＳ’ＹＳ’）よりも小さい場合（Ｓ４０３でＹｅｓ）、設定された用紙ＰＳ’および倍率ＲＳ’にて印刷を行う（Ｓ４０４〜Ｓ４０６）。
【００６３】
一方、変倍後の原稿の幅Ｘ”または長さＹ”のいずれかが用紙ＰＳ’のサイズより大きい場合（Ｓ４０３でＮｏ）、液晶パネル６１にて、“指定された倍率では、画像が指定された用紙内に収まりません”等のエラーメッセージを表示する（Ｓ４０７）。そして、表示後に印刷続行の指示を受けた場合（Ｓ４０８でＹｅｓ）は、用紙ＰＳ’、変倍倍率ＲＳ’にて印刷を実行する。また、ユーザからキャンセルの指示があれば（Ｓ４０９）、印刷を中止する。
【００６４】
本実施形態において、制御装置７および用紙搬送部９２は、画像形成に用いる用紙を選出する選出部であると表現できる。
【００６５】
本実施形態においては、変倍部８２はスキャナ８１からの画像データを変倍するものとしたが、本発明はこれに限定されない。すなわち、変倍部は、読み取り部８１内に可動に設けられたレンズ等、他の形態によっても実現可能である。
【００６６】
また、撮像は、図１０・１２のフローにおいて変倍倍率決定処理（Ｓ１０１〜Ｓ１１１、Ｓ３０１〜３０２）の前に行うことができ、図１１のフローにおいて用紙決定（Ｓ２０１〜２０４）の前に行うことができ、図１３のフローにおいて、変倍後の画像が用紙に収まることを確認する処理（Ｓ４０１〜４０３、Ｓ４０７〜４０８）の前に行うことができる。このときは、スキャナ８１と変倍部８２との間に一時的に画像を保存する部材を設け、必要な処理が済んだ後に、この保存された画像を変倍部８２にて変倍すればよい。
【００６７】
また、本実施形態では、操作パネル６、および制御装置７内の各部材が、複合機１内に設けられていたが、これらの部材の一部または全部が複合機とは別体に設けられてもよい。例えば、制御装置７は複合機に接続されたＰＣ内に設けられてもよいし、操作パネル６は、このＰＣに接続されたディスプレイおよび入力装置であってもよい。
【００６８】
また、以上に述べた実施形態において、制御装置７内の各ブロックは、ＣＰＵがＲＯＭ等の記録媒体内に格納されたプログラム（図７、１０〜１３）を読み出すことで実現するものとしたが、これらのブロックのうちの少なくとも一部は、ハードウェアロジックによって構成されてもよい。
【００６９】
本発明は上述した実施形態に限定されるものではない。請求項に示した範囲で種々の変更が可能であって、請求項に示した範囲で適宜変更・組み合わせて得られる技術も本発明の技術的範囲に含まれることはいうまでもない。
【図面の簡単な説明】
【００７０】
【図１】本発明の実施の一形態である複合機の斜視図である。
【図２】上記複合機の要部構成を表すブロック図である。
【図３】上記複合機の操作パネルを表す平面図である。
【図４】上記複合機の印刷部の要部構成を表す正面図である。
【図５】上記複合機内に収容された用紙のサイズを示すテーブルである。
【図６】上記複合機におけるデータの流れを示すブロック図である。
【図７】上記複合機における印刷条件設定時の処理過程を示すフローチャートである
【図８】印刷条件設定時の表示画面を示す平面図である。
【図９】印刷条件設定時の他の表示画面を示す平面図である。
【図１０】用紙・倍率自動設定モードの処理過程を示すフローチャートである。
【図１１】用紙自動設定モードの処理過程を示すフローチャートである。
【図１２】倍率自動設定モードの処理過程を示すフローチャートである。
【図１３】用紙・倍率手設定モードの処理過程を示すフローチャートである。
【符号の説明】
【００７１】
１      複合機（画像形成装置）
４      用紙収容部（収容部）
Ｐ１、Ｐ２、・・Ｐｎ  用紙（記録媒体）
７    制御装置
７２    演算部
７２ａ  比率取得部
７３    主制御部
８      読み取り部
８１    スキャナ
８２    変倍部
９      印刷部
９１    画像形成部
９２    用紙搬送部
１２    外部記憶装置
１１１    原稿サイズ取得部
１１２    用紙残量検出部
【図１】
2008022203.tif 000003
【図２】
2008022203.tif 000004
【図３】
2008022203.tif 000005
【図４】
2008022203.tif 000006
【図５】
2008022203.tif 000007
【図６】
2008022203.tif 000008
【図７】
2008022203.tif 000009
【図８】
2008022203.tif 000010
【図９】
2008022203.tif 000011
【図１０】
2008022203.tif 000012
【図１１】
2008022203.tif 000013
【図１２】
2008022203.tif 000014
【図１３】
2008022203.tif 000015